(57)【特許請求の範囲】
【請求項１】
第１の光入射面と、所定の光出射方向に向けて光を出射する第１の光出射面と、第１のパターンが設けられた第１の光出射促進面とを有する第１の導光板と、
第２の光入射面と、前記光出射方向に向けて光を出射する第２の光出射面と、第２のパターンが設けられた第２の光出射促進面とを有し、前記第１の導光板に対向配置された第２の導光板と、
前記第１の光入射面に対向配置され、かつ第１の方向に沿って複数配置された第１の光源と、
前記第２の光入射面に対向配置され、かつ前記第１の方向に沿って複数配置された第２の光源と
を備え、
前記第１のパターンは、前記第１の光入射面から離れるにしたがって前記第１の方向および前記第１の方向に直交する第２の方向に密度が大きくなるように配置ピッチ、個数および大きさが変化する複数の第１の点状部からなるパターンであり、
前記第２のパターンは、前記第２の光入射面から離れるにしたがって前記第１の方向および前記第２の方向に密度が大きくなるように配置ピッチ、個数および大きさが変化する複数の第２の点状部からなるパターンであり、
前記光出射方向から見て、前記第１のパターンと前記第２のパターンとが設けられた領域が部分的に重複し、かつ、前記第１のパターンと前記第２のパターンとで前記第２の方向における密度が大きくなる方向が互いに逆向きとなっており、
前記光出射方向から見て、前記第１の光源と前記第２の光源とが前記第２の方向において互いに逆向きに光を出射し、
前記各導光板は、前記各光入射面に対向する側面をさらに有し、
前記光出射方向に直交する観察面内の任意の位置での輝度が、以下の条件を満たす
発光装置。
ｙ＜０のとき、
０．０２５＋１．０５・ｓｉｎ2｛（ｙ＋１）・π／４）｝＞Ｌ＞（０．４５＋１．６・ｙ）  ……（１）
ｙ≧０のとき、
−０．０７５＋１．０５・ｓｉｎ2｛（ｙ＋１）・π／４）｝＜Ｌ＜（０．５５＋１．６・ｙ）  ……（２）
Ｌｍａｘ＝１、Ｌｍｉｎ＝０
ただし、
ｙ：前記光出射方向から見た前記各導光板における前記第２の方向に相当する導光方向の位置（前記各導光板の導光方向において、前記各光入射面の位置を−１、中央を０、前記各光入射面に対向する側面の位置を１とする）
Ｌ：輝度比率（前記第１および第２の光源の双方を点灯したときの前記観察面内の任意の位置での輝度を１としたときに、前記第１および第２の光源のうち一方のみを点灯した場合における前記任意の位置での輝度比率）
Ｌｍａｘ：Ｌの最大値
Ｌｍｉｎ：Ｌの最小値
とする。
【請求項２】
前記光出射方向から見て、前記第１の光源の光軸位置と前記第２の光源の光軸位置とが、互いに異なる
請求項１に記載の発光装置。
【請求項３】
前記第１および第２の光源はそれぞれ、所定数ごとに１つの光源ユニットを構成し、
前記光出射方向から見て、前記光源ユニットごとに、前記第１の光源の光軸位置と前記第２の光源の光軸位置とが、互いに異なる
請求項１に記載の発光装置。
【請求項４】
前記複数の第１の光源および前記複数の第２の光源はそれぞれ、赤色光を出射するレーザダイオードと、緑色光を出射するレーザダイオードと、青色光を出射するレーザダイオードとを含む
請求項１ないし３のいずれか１つに記載の発光装置。
【請求項５】
前記複数の第１の光源および前記複数の第２の光源はそれぞれ、所定の色光を出射するレーザダイオードであり、
前記第２の導光板に対向配置され、前記所定の色光を他の色光に変換する波長変換シートをさらに備えた
請求項１ないし３のいずれか１つに記載の発光装置。
【請求項６】
表示パネルと、前記表示パネルを照明する発光装置とを含み、
前記発光装置は、
第１の光入射面と、所定の光出射方向に向けて光を出射する第１の光出射面と、第１のパターンが設けられた第１の光出射促進面とを有する第１の導光板と、
第２の光入射面と、前記光出射方向に向けて光を出射する第２の光出射面と、第２のパターンが設けられた第２の光出射促進面とを有し、前記第１の導光板に対向配置された第２の導光板と、
前記第１の光入射面に対向配置され、かつ第１の方向に沿って複数配置された第１の光源と、
前記第２の光入射面に対向配置され、かつ前記第１の方向に沿って複数配置された第２の光源と
を備え、
前記第１のパターンは、前記第１の光入射面から離れるにしたがって前記第１の方向および前記第１の方向に直交する第２の方向に密度が大きくなるように配置ピッチ、個数および大きさが変化する複数の第１の点状部からなるパターンであり、
前記第２のパターンは、前記第２の光入射面から離れるにしたがって前記第１の方向および前記第２の方向に密度が大きくなるように配置ピッチ、個数および大きさが変化する複数の第２の点状部からなるパターンであり、
前記光出射方向から見て、前記第１のパターンと前記第２のパターンとが設けられた領域が部分的に重複し、かつ、前記第１のパターンと前記第２のパターンとで前記第２の方向における密度が大きくなる方向が互いに逆向きとなっており、
前記光出射方向から見て、前記第１の光源と前記第２の光源とが前記第２の方向において互いに逆向きに光を出射し、
前記各導光板は、前記各光入射面に対向する側面をさらに有し、
前記光出射方向に直交する観察面内の任意の位置での輝度が、以下の条件を満たす
表示装置。
ｙ＜０のとき、
０．０２５＋１．０５・ｓｉｎ2｛（ｙ＋１）・π／４）｝＞Ｌ＞（０．４５＋１．６・ｙ）  ……（１）
ｙ≧０のとき、
−０．０７５＋１．０５・ｓｉｎ2｛（ｙ＋１）・π／４）｝＜Ｌ＜（０．５５＋１．６・ｙ）  ……（２）
Ｌｍａｘ＝１、Ｌｍｉｎ＝０
ただし、
ｙ：前記光出射方向から見た前記各導光板における前記第２の方向に相当する導光方向の位置（前記各導光板の導光方向において、前記各光入射面の位置を−１、中央を０、前記各光入射面に対向する側面の位置を１とする）
Ｌ：輝度比率（前記第１および第２の光源の双方を点灯したときの前記観察面内の任意の位置での輝度を１としたときに、前記第１および第２の光源のうち一方のみを点灯した場合における前記任意の位置での輝度比率）
Ｌｍａｘ：Ｌの最大値
Ｌｍｉｎ：Ｌの最小値
とする。
【発明の詳細な説明】
【技術分野】
【０００１】
本開示は、発光装置、およびこれを備えた表示装置に関する。
【背景技術】
【０００２】
液晶表示装置などのバックライトとして、光源から出射した光を、導光板を用いて面発光させる発光装置が知られている。このような発光装置として、例えば特許文献１および２に記載されているように、発光ダイオード（ＬＥＤ：Light Emitting Diode）やレーザダイオード（laser diode）等の点光源を導光板の側面に複数配置する構造が知られている。
【先行技術文献】
【特許文献】
【０００３】
【特許文献１】特表２００３−５３２２７３号公報（図１Ａ、図１Ｂ）
【特許文献２】特開２０１１−２３８４８４号公報（図１、図２）
【発明の概要】
【０００４】
上記のような発光装置において、発光面内における輝度むらあるいは色むらを低減することが望まれている。特に、光源としてレーザダイオードを用いる場合、指向性が強くなるので、輝度むらあるいは色むらが発生しやすい。
【０００５】
特許文献１および２に記載の発光装置では、互いに異なる側面方向に複数の点光源を配置した２枚の導光板を対向配置し、それら２枚の導光板からの出射光を合成する構造が提案されている。これらに記載の発光装置では、各導光板には、側面方向から入射された点光源からの光を導光板表面から出射させるための出射促進部、例えば半球状の凸形状部が設けられている。しかしながら、各導光板に設けられた出射促進部は、各導光板において約半分の領域に設けられ、各導光板表面から見て互いに実質的に重ならないようなパターンで設けられている。このため、輝度むらあるいは色むらの低減が不十分である。
【０００６】
従って、輝度むらあるいは色むらを低減することができる発光装置、およびこれを備えた表示装置を提供することが望ましい。
【０００７】
本開示の一実施の形態に係る発光装置は、第１の光入射面と、所定の光出射方向に向けて光を出射する第１の光出射面と、第１のパターンが設けられた第１の光出射促進面とを有する第１の導光板と、第２の光入射面と、光出射方向に向けて光を出射する第２の光出射面と、第２のパターンが設けられた第２の光出射促進面とを有し、第１の導光板に対向配置された第２の導光板と、第１の光入射面に対向配置され、かつ第１の方向に沿って複数配置された第１の光源と、第２の光入射面に対向配置され、かつ第１の方向に沿って複数配置された第２の光源とを備えたものである。
第１のパターンは、第１の光入射面から離れるにしたがって第１の方向および第１の方向に直交する第２の方向に密度が大きくなるように配置ピッチ、個数および大きさが変化する複数の第１の点状部からなるパターンであり、第２のパターンは、第２の光入射面から離れるにしたがって第１の方向および第２の方向に密度が大きくなるように配置ピッチ、個数および大きさが変化する複数の第２の点状部からなるパターンである。光出射方向から見て、第１のパターンと第２のパターンとが設けられた領域が部分的に重複し、かつ、第１のパターンと第２のパターンとで第２の方向における密度が大きくなる方向が互いに逆向きとなっている。
光出射方向から見て、第１の光源と第２の光源とが第２の方向において互いに逆向きに光を出射し、各導光板は、各光入射面に対向する側面をさらに有し、光出射方向に直交する観察面内の任意の位置での輝度が、以下の条件を満たす。
ｙ＜０のとき、
０．０２５＋１．０５・ｓｉｎ2｛（ｙ＋１）・π／４）｝＞Ｌ＞（０．４５＋１．６・ｙ）  ……（１）
ｙ≧０のとき、
−０．０７５＋１．０５・ｓｉｎ2｛（ｙ＋１）・π／４）｝＜Ｌ＜（０．５５＋１．６・ｙ）  ……（２）
Ｌｍａｘ＝１、Ｌｍｉｎ＝０
ただし、
ｙ：光出射方向から見た各導光板における第２の方向に相当する導光方向の位置（各導光板の導光方向において、各光入射面の位置を−１、中央を０、各光入射面に対向する側面の位置を１とする）
Ｌ：輝度比率（第１および第２の光源の双方を点灯したときの観察面内の任意の位置での輝度を１としたときに、第１および第２の光源のうち一方のみを点灯した場合における任意の位置での輝度比率）
Ｌｍａｘ：Ｌの最大値
Ｌｍｉｎ：Ｌの最小値
とする。
【０００８】
本開示の一実施の形態に係る表示装置は、表示パネルと、表示パネルを照明する発光装置とを含み、発光装置として、上記本開示の一実施の形態に係る発光装置を備えたものである。
【０００９】
本開示の一実施の形態に係る発光装置、または表示装置では、対向配置された２つの導光板のそれぞれに、輝度むらあるいは色むらを低減するように最適化されたパターンが設けられる。
【００１０】
本開示の一実施の形態に係る発光装置、または表示装置によれば、対向配置された２つの導光板のそれぞれに、輝度むらあるいは色むらを低減するように最適化されたパターンを設けるようにしたので、輝度むらあるいは色むらを低減することができる。
なお、ここに記載された効果は必ずしも限定されるものではなく、本開示中に記載されたいずれかの効果であってもよい。
【図面の簡単な説明】
【００１１】
【図１】本開示の第１の実施の形態に係る発光装置の一構成例を示す斜視図である。
【図２】第１の実施の形態に係る発光装置の一構成例を示す断面図である。
【図３】第１の実施の形態に係る発光装置における導光板および光源の一構成例を示す平面図である。
【図４】ドットパターンの一例を示す平面図である。
【図５】光源の配置の第１の例を示す平面図である。
【図６】光源の配置の第２の例を示す平面図である。
【図７】比較例１と実施例１とのドットパターンの被覆率を比較した特性図である。
【図８】比較例１，２と実施例１とにおける上段導光板の寸法を示す平面図である。
【図９】比較例１，２と実施例１とにおける下段導光板の寸法を示す平面図である。
【図１０】比較例１と実施例１とのＹ方向の輝度分布を比較した特性図である。
【図１１】比較例１の面内輝度分布を示す平面図である。
【図１２】実施例１の面内輝度分布を示す平面図である。
【図１３】比較例２と実施例１とのドットパターンの被覆率を比較した特性図である。
【図１４】比較例２の上段導光板のドットパターンを示す平面図である。
【図１５】実施例１の上段導光板のドットパターンを示す平面図である。
【図１６】比較例２と実施例２とのＹ方向の輝度分布を比較した特性図である。
【図１７】比較例２の面内輝度分布を示す平面図である。
【図１８】実施例２のＸ方向の輝度分布を示す特性図である。
【図１９】実施例２の面内輝度分布を示す平面図である。
【図２０】実施例２の上段導光板における光源配置を示す平面図である。
【図２１】実施例２の下段導光板における光源配置を示す平面図である。
【図２２】実施例３のＸ方向の輝度分布を示す特性図である。
【図２３】実施例３の面内輝度分布を示す平面図である。
【図２４】実施例３，４，５の上段導光板における光源配置を示す平面図である。
【図２５】実施例３，４，５の下段導光板における光源配置を示す平面図である。
【図２６】実施例３，４，５のドットパターンの被覆率を比較した特性図である。
【図２７】実施例３，４，５のＹ方向の輝度分布を比較した特性図である。
【図２８】実施例３，４，５の正規化されたＹ方向の輝度分布を比較した特性図である。
【図２９】実施例３，４，５の正規化されたＹ方向の輝度分布を比較した特性図である。
【図３０】実施例４の面内輝度分布を示す平面図である。
【図３１】実施例４のＸ方向の輝度分布を示す特性図である。
【図３２】実施例５の面内輝度分布を示す平面図である。
【図３３】実施例５のＸ方向の輝度分布を示す特性図である。
【図３４】実施例３の上段導光板の面内輝度分布を示す平面図である。
【図３５】実施例３の上段導光板のＸ方向の輝度分布を示す特性図である。
【図３６】実施例３の輝度分布を模式的に示す平面図である。
【図３７】実施例４の上段導光板の面内輝度分布を示す平面図である。
【図３８】実施例４の上段導光板のＸ方向の輝度分布を示す特性図である。
【図３９】実施例４の輝度分布を模式的に示す平面図である。
【図４０】実施例５の上段導光板の面内輝度分布を示す平面図である。
【図４１】実施例５の上段導光板のＸ方向の輝度分布を示す特性図である。
【図４２】実施例５の輝度分布を模式的に示す平面図である。
【図４３】第２の実施の形態に係る発光装置の一構成例を示す断面図である。
【図４４】第２の実施の形態に係る発光装置における導光板および光源の一構成例を示す平面図である。
【図４５】第２の実施の形態に係る発光装置における上段導光板に対する光源の配置の一具体例を示す平面図である。
【図４６】第２の実施の形態に係る発光装置における下段導光板に対する光源の配置の一具体例を示す平面図である。
【図４７】第３の実施の形態に係る発光装置における導光板および光源の一構成例を示す平面図である。
【図４８】適用例に係る表示装置の概略構成を表す模式図である。
【図４９】テレビジョン装置の外観を表す斜視図である。
【図５０】電子ブックの外観を表す斜視図である。
【図５１】他の電子ブックの外観を表す斜視図である。
【図５２】スマートフォンの外観を表す斜視図である。
【図５３】デジタルカメラの前方からの外観を表す斜視図である。
【図５４】デジタルカメラの後方からの外観を表す斜視図である。
【図５５】ノート型パーソナルコンピュータの外観を表す斜視図である。
【図５６】ビデオカメラの外観を表す斜視図である。
【図５７】携帯電話機の閉じた状態の外観を表す正面図、左側面図、右側面図、上面図および下面図である。
【図５８】携帯電話機の開いた状態の外観を表す正面図および側面図である。
【発明を実施するための形態】
【００１２】
以下、本開示の実施の形態について図面を参照して詳細に説明する。なお、説明は以下の順序で行う。
＜１．第１の実施の形態＞（図１〜図４２）
［１．１  発光装置の基本構成例］
［１．２  ドットパターンおよび光源の構成例］
［１．３  作用および効果（実施例）］
＜２．第２の実施の形態＞（青色光源のみを用いた発光装置）（図４３〜図４６）
＜３．第３の実施の形態＞（Ｘ方向の側面に光源を配置した例）（図４７）
＜４．第４の実施の形態＞（表示装置への適用例）（図４８〜図５８）
＜５．その他の実施の形態＞
【００１３】
＜１．第１の実施の形態＞
［１．１  発光装置の基本構成例］
図１は、本開示の第１の実施の形態に係る発光装置（バックライトユニット１）の全体構成を表したものである。図２は、バックライトユニット１の断面構成を表すものである。バックライトユニット１は、例えば、透過型の液晶パネルを背後から照明するものであり、第１の光源１０−１、第２の光源１０−２、下段導光板１１Ａ、上段導光板１１Ｂ、反射シート１２および光学シート１３を有している。
なお、本実施の形態において、「下段導光板１１Ａ」が本開示における「第１の導光板」の一具体例に相当する。また、「上段導光板１１Ｂ」が本開示における「第２の導光板」の一具体例に相当する。
【００１４】
第１の光源１０−１、および第２の光源１０−２はそれぞれ、点状光源であり、具体的にはレーザダイオード（半導体レーザ）を含んで構成されている。レーザダイオードとしては、例えば赤色、緑色あるいは青色の色光を出射するものが用いられる。第１の光源１０−１は、下段導光板１１Ａの光入射面（第１の光入射面）に対向して、複数、並列して設けられている。第２の光源１０−２は、上段導光板１１Ｂの光入射面（第２の光入射面）に対向して、複数、並列して設けられている。第１の光源１０−１、および第２の光源１０−２は、発光ダイオード（ＬＥＤ：Light Emitting Diode）であってもよく、複数の第１の光源１０−１、および第２の光源１０−２の中には、レーザダイオードと発光ダイオードとが混在していてもよい。
【００１５】
下段導光板１１Ａおよび上段導光板１１Ｂはいずれも、例えば板状（扁平な直方体形状）の光学部材である。下段導光板１１Ａは、第１の光入射面と第１の光出射面とを有しており、第１の光入射面から入射した光を第１の光出射面へ導くものである。上段導光板１１Ｂは、第２の光入射面と第２の光出射面とを有しており、第２の光入射面から入射した光を第２の光出射面へ導くものである。下段導光板１１Ａはさらに、後述する第１のドットパターン３０−１が設けられた第１の光出射促進面を有している。上段導光板１１Ｂはさらに、後述する第２のドットパターン３０−２が設けられた第２の光出射促進面を有している。
【００１６】
下段導光板１１Ａおよび上段導光板１１Ｂはそれぞれ、例えば、ポリカーボネート樹脂（ＰＣ）またはアクリル樹脂（例えば、ＰＭＭＡ（ポリメチルメタクリレート））などの透明熱可塑性樹脂を主に含んで構成されている。これらの下段導光板１１Ａおよび上段導光板１１Ｂは、例えばＺ方向に沿って対向配置され、これにより下段導光板１１Ａおよび上段導光板１１Ｂごとの出射光を重畳したものが、バックライトユニット１における発光輝度分布を形成する。第１の光出射面および第２の光出射面からは、所定の光出射方向としてＺ方向に向けて光が出射される。
【００１７】
反射シート１２は、下段導光板１１Ａの裏面（第２の光出射面と対向する第２の主面Ｓ１３）と対向して設けられた板状またはシート状部材であり、下段導光板１１Ａ（あるいは上段導光板１１Ｂ）から漏れ出てきた光を、下段導光板１１Ａへ向けて戻すものである。反射シート１２は、例えば、反射、拡散、散乱などの機能を有しており、これにより第１の光源１０−１、および第２の光源１０−２からの光を効率的に利用し、正面輝度を高めることが可能となっている。
【００１８】
この反射シート１２は、例えば、発泡ＰＥＴ（ポリエチレンテレフタレート），銀蒸着フィルム，多層膜反射フィルム，または白色ＰＥＴにより構成されている。反射シート１２に正反射（鏡面反射）の機能を持たせる場合には、反射シート１２の表面は、銀蒸着，アルミニウム蒸着，または多層膜反射などの処理がなされたものであることが好ましい。反射シート１２に微細形状を付与する場合は、反射シート１２は、熱可塑性樹脂を用いた熱プレス成型，または溶融押し出し成型などの手法で一体的に形成されていてもよいし、また、例えばＰＥＴなどからなる基材上にエネルギー線（例えば紫外線）硬化樹脂を塗布したのち、そのエネルギー線硬化樹脂に形状を転写して形成されていてもよい。ここで、熱可塑性樹脂としては、例えば、ポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。また、エネルギー線（例えば紫外線）硬化樹脂に形状を転写する場合は、基材はガラスであってもよい。
【００１９】
光学シート１３は、上段導光板１１Ｂの第１の光出射面と対向して設けられ、例えば、拡散板，拡散シート，レンズフィルム，偏光分離シートなどを含んでいる。このような光学シート１３を設けることにより、上段導光板１１Ｂから斜め方向に出射した光を正面方向に立ち上げることが可能となり、正面輝度をさらに高めることが可能となる。
【００２０】
［１．２  ドットパターンおよび光源の構成例］
さらに、図３〜図６を参照してドットパターンおよび光源の構成例をより具体的に説明する。
【００２１】
図３は、下段導光板１１Ａおよび上段導光板１１Ｂと、第１の光源１０−１および第２の光源１０−２とのＸＹ平面における配置構成を表している。下段導光板１１Ａは、図２に示したように、第１の主面Ｓ１２および第２の主面Ｓ１３を有している。上段導光板１１Ｂは、図２に示したように、第１の主面Ｓ２２および第２の主面Ｓ２３を有している。
【００２２】
下段導光板１１Ａでは、１つの側面（第１の側面Ｓ１）が第１の光入射面であると共に、１つの主面Ｓ１２（上段導光板１１Ｂに対向する面）が第１の光出射面となっている。また、もう１つの主面Ｓ１３が第１のドットパターン３０−１が設けられた第１の光出射促進面となっている。
【００２３】
上段導光板１１Ｂでは、１つの側面（第２の側面Ｓ２）が第２の光入射面であると共に、１つの主面Ｓ２２（光学シート１３に対向するの面）が第２の光出射面となっている。この例では、上段導光板１１Ｂの光出射面が導光部全体の発光面を構成する。また、もう１つの主面Ｓ２３が第２のドットパターン３０−２が設けられた第２の光出射促進面となっている。
【００２４】
これらの下段導光板１１Ａおよび上段導光板１１Ｂは、第１の光入射面と第２の光入射面とがＺ方向において重畳しないように、積層されている。具体的には、下段導光板１１Ａの第１の光入射面は、ＸＹ平面形状（例えば矩形状）の長辺に対応する２つの側面のうちの一方（例えば第１の側面Ｓ１）に設けられ、上段導光板１１Ｂの第２の光入射面は、矩形状の長辺に対応する２つの側面のうちのもう一方（例えば第２の側面Ｓ２）に設けられる。下段導光板１１Ａの第１の光入射面に対向して、かつ一の方向に沿って、複数の第１の光源１０−１が配列されている。また、上段導光板１１Ｂの第２の光入射面に対向して、かつ一の方向に沿って、複数の第２の光源１０−２が配列されている。このような構成により、光出射方向（Ｚ方向）から見て、第１の光源１０−１と第２の光源１０−２とから、互いに逆方向に向けて光が出射され、下段導光板１１Ａおよび上段導光板１１Ｂには、互いに逆向きの光が入射される。
【００２５】
第１のドットパターン３０−１は、下段導光板１１Ａの第１の光出射促進面の半分を越える領域を覆うように設けられている。第２のドットパターン３０−２は、上段導光板１１Ｂの第２の光出射促進面の半分を越える領域を覆うように設けられている。これにより、図３に示したように、光出射方向から見て、第１のドットパターン３０−１と第２のドットパターン３０−２とが設けられた領域が部分的に重複する重複領域を有している。
【００２６】
図４は、上段導光板１１Ｂの第２のドットパターン３０−２を模式的に表しているが、下段導光板１１Ａの第１のドットパターン３０−１についても、パターン密度が大きくなる方向が逆であること以外は実質的に同様の構成となっている。下段導光板１１Ａでは、第１の光出射促進面に、第１の点状部としての微細なドット３１が設けられてなる第１のドットパターン３０−１を有している。上段導光板１１Ｂについても実質的に同様で、第２の光出射促進面に、第２の点状部としてのドット３１が設けられてなる第２のドットパターン３０−２を有している。第１のドットパターン３０−１および第２のドットパターン３０−２は、例えば白色インクを用いてシルクスクリーン印刷された白色のドットパターンで形成されている。第１のドットパターン３０−１および第２のドットパターン３０−２としてはまた、例えばレーザ加工によってドット３１に相当する凸部または凹部のパターンを形成してもよい。
【００２７】
下段導光板１１Ａでは、上記第１のドットパターン３０−１におけるドット３１の密度が、光入射面からの距離に応じて変化するように構成されている。上段導光板１１Ｂも同様に、上記第２のドットパターン３０−２におけるドット３１の密度が、光入射面からの距離に応じて変化するように構成されている。具体的には、下段導光板１１Ａでは、ドット３１の密度が、光入射面から遠くなるに従って大きく（光入射面に近くなるに従って小さく）なっている。上段導光板１１Ｂも同様に、ドット３１の密度が、光入射面から遠くなるに従って大きく（光入射面に近くなるに従って小さく）なっている。これにより、図３に示したように、光出射方向から見て、第１のドットパターン３０−１と第２のドットパターン３０−２とで密度が大きくなる方向が互いに逆向きとなっている。なお、ドット密度は、例えばドット３１の個数、ピッチおよび大きさなどを領域ごとに変化させることにより、段階的に変化させることができる。
【００２８】
第１のドットパターン３０−１および第２のドットパターン３０−２はそれぞれ、ドット３１の配置ピッチ（ドットピッチ）と大きさ（ドットサイズ）との両方を変えることで密度を変化させることが好ましい。例えば、図４に示したように、密度が相対的に小さい部分におけるドットサイズＤｓ１を、密度が相対的に大きい部分におけるドットサイズＤｓ２に比べて小さくすることが好ましい。また、密度が相対的に小さい部分におけるＸ方向のドットピッチＸｐ１、およびＹ方向のドットピッチＹｐ１に対して、密度が相対的に大きい部分におけるＸ方向のドットピッチＸｐ２、およびＹ方向のドットピッチＹｐ２を小さくすることがましい。
【００２９】
図５は、光源１０の配置の第１の例を示している。第１の光源１０−１、および第２の光源１０−２はそれぞれ、赤色光を出射する赤色光源１０Ｒと、緑色光を出射する緑色光源１０Ｇと、青色光を出射する青色光源１０Ｂとを含んでいてもよい。これらの色光の混色により白色光を生成してもよい。また、第１の光源１０−１、および第２の光源１０−２はそれぞれ、所定数ごとに１つの光源ユニット１０Ｕを構成してもよい。図５の例では、３つの赤色光源１０Ｒと、１つの緑色光源１０Ｇと、１つの青色光源１０Ｂとで１つの光源ユニット１０Ｕを構成している。また、図５の例では、光出射方向から見て、第１の光源１０−１の光軸位置と第２の光源１０−２の光軸位置とが互いに同じとなっている。すなわち、下段導光板１１Ａと上段導光板１１Ｂとで、各光源のＸ方向の光軸位置が同じとなっている。
【００３０】
図６は、光源１０の配置の第２の例を示している。下段導光板１１Ａと上段導光板１１Ｂとで、第１の光源１０−１と第２の光源１０−２とのＸ方向の光軸位置が異なるように第１の光源１０−１と第２の光源１０−２との相対的な位置をオフセットさせてもよい。図６の例では、光出射方向から見て、光源ユニット１０Ｕごとに、第１の光源１０−１と第２の光源１０−２との互いの光軸位置が異なっている。
【００３１】
［１．３  作用および効果（実施例）］
このバックライトユニット１では、第１の光源１０−１から出射され、下段導光板１１Ａの光入射面に入射した光は、下段導光板１１Ａの内部を進行して、第１の光出射面から出射する。一方、第２の光源１０−２から出射され、上段導光板１１Ｂの第２の光入射面に入射した光は、上段導光板１１Ｂの内部を進行して、第２の光出射面から出射する。これらの下段導光板１１Ａと上段導光板１１Ｂとのそれぞれから出射された光が合成され、光学シート１３を通過して発光として観測される。
【００３２】
ここで、本実施の形態によれば、対向配置された２つの導光板のそれぞれに、輝度むらあるいは色むらを低減するように最適化されたドットパターンを設けるようにしたので、輝度むらあるいは色むらを低減することができる。また、各導光板の光入射面に対向配置された各光源の配置を最適化することによって、輝度むらあるいは色むらをさらに低減することができる。
【００３３】
以下、具体的な比較例および実施例を挙げて、本実施の形態に係る発光装置の作用および効果を説明する。
なお、本明細書に記載された効果はあくまでも例示であって限定されるものではなく、また他の効果があってもよい。以降の他の実施の形態についても同様である。
【００３４】
以下で説明する比較例および実施例では、図５および図６の構成例と同様、第１の光源１０−１および第２の光源１０−２がそれぞれ、３つの赤色光源１０Ｒと、１つの緑色光源１０Ｇと、１つの青色光源１０Ｂとで１つの光源ユニット１０Ｕを構成している場合を例に説明する。
【００３５】
（１）上下段の導光板１１Ａ，１１Ｂでドットパターン３０−１，３０−２の重複領域を設けたことの効果
【００３６】
図７は、比較例１と実施例１とのドットパターンの被覆率を比較したものである。図７では、上段導光板１１Ｂにおける第２のドットパターン３０−２の被覆率を示しているが、下段導光板１１Ａにおける第１のドットパターン３０−１の被覆率についても実質的に同様であってもよい。図７において、縦軸は第２のドットパターン３０−２の被覆率、横軸はＹ方向の距離を示している。Ｙ方向の距離は、Ｙ方向の中央を０、光入射面側（光源が配置された側）をマイナス方向としている。以降の他の特性図についても同様である。例えば、上段導光板１１Ｂの場合、第２の光入射面側（第２の光源１０−２が配置された側）をマイナス方向とする。下段導光板１１Ａの場合、第１の光入射面側（第１の光源１０−１）が配置された側をマイナス方向とする。
【００３７】
図７からも分かるように、比較例１ではＹ方向の中央からプラス方向にのみドットパターン３０−１，３０−２が設けられている。比較例１では、第１のドットパターン３０−１が下段導光板１１Ａの第１の光出射促進面の半分の領域を覆うように設けられ、第２のドットパターン３０−２が上段導光板１１Ｂの第２の光出射促進面の半分の領域を覆うように設けられている。すなわち、比較例１としては、ドットパターン３０−１，３０−２の重複領域（図３参照）を設けなかった場合の構成を示している。一方、実施例１では、図７からも分かるように、Ｙ方向のマイナス側にもドットパターン３０−１，３０−２が設けられ、ドットパターン３０−１，３０−２の重複領域（図３参照）が設けられている。
【００３８】
図８は、比較例１と実施例１とにおける上段導光板１１Ｂの各部の寸法を示している。図９は、比較例１と実施例１とにおける下段導光板１１Ａの各部の寸法を示している。図９にはまた、第１の光源１０−１の配置の寸法を示すが、第２の光源１０−２の配置の寸法も基本的に同様である。比較例１と実施例１では、第１の光源１０−１と第２の光源１０−２とのＸ方向の光軸位置とが互いに同じとなっている。なお、後述する比較例２も図８および図９と同様の寸法となっている。
【００３９】
図１０は、比較例１と実施例１とのＹ方向の輝度分布を比較したものである。図１１は、比較例１の面内輝度分布を示したものである。図１２は、実施例１の面内輝度分布を示したものである。図１０において、縦軸は輝度、横軸はＹ方向の距離を示している。図１０には、下段導光板１１Ａおよび上段導光板１１Ｂの双方を点灯させた場合の特性と、上段導光板１１Ｂのみを点灯させた場合の特性とを示す。これらの輝度分布から分かるように、比較例１では、ドットパターン３０−１，３０−２の重複領域を設けていないことにより、Ｙ中央（Ｙ＝０）付近で輝度が低く、暗くなってしまっている。これに対して、実施例１では、ドットパターン３０−１，３０−２の重複領域を設けていることにより、輝度の低下が低減されている。
【００４０】
（２）ドットパターン３０−１，３０−２をドットピッチが変化するパターンとすることの効果
【００４１】
図１３は、比較例２と実施例１とのドットパターンの被覆率を比較したものである。図１３では、上段導光板１１Ｂにおける第２のドットパターン３０−２の被覆率を示しているが、下段導光板１１Ａにおける第１のドットパターン３０−１の被覆率についても実質的に同様であってもよい。図１３において、縦軸は第２のドットパターン３０−２の被覆率、横軸はＹ方向の距離を示している。
【００４２】
図１４は、比較例２の上段導光板１１Ｂの第２のドットパターン３０−２の構成を示しているが、下段導光板１１Ａにおける第１のドットパターン３０−１の構成についても実質的に同様であってもよい。図１５は、実施例１の上段導光板１１Ｂの第２のドットパターン３０−２の構成を示しているが、下段導光板１１Ａにおける第１のドットパターン３０−１の構成についても実質的に同様であってもよい。なお、図１５には照明光として利用可能な有効領域の境界４０を参考として図示している。
【００４３】
図１５に示したように、実施例１では上段導光板１１Ｂの第２のドットパターン３０−２（および下段導光板１１Ａにおける第１のドットパターン３０−１）はＹ方向の位置に応じてドット３１のドットピッチ（およびドットサイズ）を変化させることで、パターン密度を変化させている。これに対して、比較例２では。図１４に示したように、ドットピッチは変えずにドットサイズのみを変化させることでパターン密度を変化させている。
【００４４】
図１６は、比較例２と実施例２とのＹ方向の輝度分布を比較したものである。図１７は、比較例２の面内輝度分布を示したものである。図１６において、縦軸は輝度、横軸はＹ方向の距離を示している。図１６には、下段導光板１１Ａおよび上段導光板１１Ｂの双方を点灯させた場合の特性と、上段導光板１１Ｂのみを点灯させた場合の特性とを示す。
【００４５】
製造上、ドットサイズの最小化には限界があり、比較例２のように等ドットピッチでドットパターンを形成しようとすると、図１３に示したように、最小被覆率を徐々にゼロにすることが困難となる。このため、比較例２では、ドットパターンの開始点において被覆率変化の特異点が生じ、図１６および図１７の位置Ｙａ，Ｙｂ，Ｙｃに示したように、輝度むらとして認識されてしまう。これに対して、実施例２では、ドットピッチを可変にすることにより特異点のむらが発生しない面光源とすることができる。
【００４６】
（３）第１の光源１０−１と第２の光源１０−２とのＸ方向の光軸位置を互いに異ならせる（オフセットさせる）ことの効果
【００４７】
図１８は、実施例２のＸ方向の輝度分布を示している。図１８において、縦軸は輝度、横軸はＸ方向の距離を示している。Ｘ方向の距離は、Ｘ方向の中央を０、光出射側から見て左側をマイナス方向としている。以降の他の特性図についても同様である。図１９は、実施例２の面内輝度分布を示している。図２０は、実施例２の上段導光板１１Ｂにおける第２の光源１０−２の配置の寸法を示している。図２１は、実施例２の下段導光板１１Ａにおける第１の光源１０−１の配置の寸法を示している。
【００４８】
図２２は、実施例３のＸ方向の輝度分布を示している。図２２において、縦軸は輝度、横軸はＸ方向の距離を示している。図２３は、実施例３の面内輝度分布を示している。図２４は、実施例３の上段導光板１１Ｂにおける第２の光源１０−２の配置の寸法を示している。図２５は、実施例３の下段導光板１１Ａにおける第１の光源１０−１の配置の寸法を示している。なお、後述する実施例４，５も図２４および図２５と同様の寸法となっている。
【００４９】
実施例２では、図２０および図２１に示したように、図５の構成例と同様、第１の光源１０−１と第２の光源１０−２とのＸ方向の光軸位置は同じ（オフセットなし）となっている。実施例３では、図２４および図２５に示したように、図６の構成例と同様、第１の光源１０−１と第２の光源１０−２とのＸ方向の光軸位置を互いに異ならせて（オフセットさせて）いる。第１の光源１０−１と第２の光源１０−２との配置ピッチを大きくとる場合、第１の光源１０−１と第２の光源１０−２とを同軸上に配置すると、その軸線上の領域の輝度が高くなり、図１８および図１９に示したように、Ｘ方向に輝度むらが発生する。第１の光源１０−１と第２の光源１０−２とを、図２４および図２５に示したように１／２ピッチオフセットさせることにより、図２２および図２３に示したようにＸ方向の輝度むらが大幅に緩和する。
【００５０】
（４）下段導光板１１Ａと上段導光板１１Ｂとのそれぞれの出射輝度が所定の関係式を満たすことの効果
【００５１】
図２６は、実施例３，４，５のドットパターンの被覆率を比較したものである。図２６では、上段導光板１１Ｂにおける第２のドットパターン３０−２の被覆率を示しているが、下段導光板１１Ａにおける第１のドットパターン３０−１の被覆率についても実質的に同様であってもよい。図２６において、縦軸は第２のドットパターン３０−２の被覆率、横軸はＹ方向の距離を示している。
【００５２】
図２７は、実施例３，４，５のＹ方向の輝度分布を比較したものである。図２７において、縦軸は輝度、横軸はＹ方向の距離を示している。図２７には、下段導光板１１Ａおよび上段導光板１１Ｂの双方を点灯させた場合の特性と、上段導光板１１Ｂのみを点灯させた場合の特性とを示す。
【００５３】
図２８および図２９は、実施例３，４，５の正規化されたＹ方向の輝度分布を比較したものである。図２８および図２９において、縦軸は正規化された輝度、横軸は正規化されたＹ方向の距離を示している。図２８および図２９には、下段導光板１１Ａおよび上段導光板１１Ｂの双方を点灯させた場合の特性と、上段導光板１１Ｂのみを点灯させた場合の特性とを示す。
【００５４】
図３０は、実施例４の面内輝度分布を示したものである。図３１は、実施例４のＸ方向の輝度分布を示している。図３１において、縦軸は輝度、横軸はＸ方向の距離を示している。図３２は、実施例５の面内輝度分布を示したものである。図３３は、実施例５のＸ方向の輝度分布を示している。図３３において、縦軸は輝度、横軸はＸ方向の距離を示している。
【００５５】
図３４は、実施例３の上段導光板の面内輝度分布を示したものである。図３５は、実施例３の上段導光板のＸ方向の輝度分布を示している。図３５において、縦軸は輝度、横軸はＸ方向の距離を示している。図３６は、実施例３の輝度分布を模式的に示したものである。図３６では、実施例３について下段導光板１１Ａと上段導光板１１Ｂとのそれぞれの出射輝度を合成した場合の輝度分布を模式的に示している。
【００５６】
図３７は、実施例４の上段導光板の面内輝度分布を示したものである。図３８は、実施例４の上段導光板のＸ方向の輝度分布を示している。図３８において、縦軸は輝度、横軸はＸ方向の距離を示している。図３９は、実施例４の輝度分布を模式的に示したものである。図３９では、実施例４について下段導光板１１Ａと上段導光板１１Ｂとのそれぞれの出射輝度を合成した場合の輝度分布を模式的に示している。
【００５７】
図４０は、実施例５の上段導光板の面内輝度分布を示したものである。図４１は、実施例５の上段導光板のＸ方向の輝度分布を示している。図４１において、縦軸は輝度、横軸はＸ方向の距離を示している。図４２は、実施例５の輝度分布を模式的に示したものである。図４２では、実施例５について下段導光板１１Ａと上段導光板１１Ｂとのそれぞれの出射輝度を合成した場合の輝度分布を模式的に示している。
【００５８】
実施例３，４，５ではそれぞれ、図２６に示したように、ドットパターンの被覆率がＹ方向の距離に応じて異なるパターンとなっている。この場合、上段導光板１１Ｂおよび下段導光板１１Ａのうち一方のみを点灯させたＹ方向の輝度分布は、図２７に示したように各実施例で異なるものとなる。このような場合でも、上段導光板１１Ｂおよび下段導光板１１Ａの双方を点灯させたＹ方向の輝度分布は、図２７に示したように各実施例で略同じにすることが可能である。
【００５９】
ただし、図３０〜図４２に示したように、Ｘ方向の輝度分布が各実施例で異なり、面全体としてみた場合の輝度分布は異なる。また、下段導光板１１Ａと上段導光板１１Ｂとのそれぞれの出射輝度分布の重ね合わせとして考えた場合、Ｙ方向の輝度変化に関して、最適な分布がある。図２７に示した実施例４のように急峻なＹ方向の輝度変化を持つものについては、図３９に示したように上下段の導光板で輝度分布が噛み合わない領域がある。また図２７に示した実施例５のように緩やか過ぎるＹ方向の輝度変化を持つものについては、図４２に示したように光源側の輝度が大きくなってしまう傾向がある。このため、Ｙ方向に関して、それらの中間の輝度変化であることが好ましい。
【００６０】
ここで、図２８に示したように、光出射方向に直交する観察面内の任意の位置での輝度が、以下の条件を満たすことが好ましい。
ｙ＜０のとき、
０．０２５＋１．０５・ｓｉｎ２｛（ｙ＋１）・π／４）｝＞Ｌ＞（０．４５＋１．６・ｙ）  ……（１）
ｙ≧０のとき、
−０．０７５＋１．０５・ｓｉｎ２｛（ｙ＋１）・π／４）｝＜Ｌ＜（０．５５＋１．６・ｙ）  ……（２）
Ｌｍａｘ＝１、Ｌｍｉｎ＝０
ただし、
ｙ：光出射方向から見た各導光板における導光方向の位置（各導光板の導光方向において、各光入射面の位置を−１、中央を０、各光入射面に対向する側面の位置を１とする）
Ｌ：輝度比率（第１および第２の光源１０−１，１０−２の双方を点灯したときの観察面内の任意の位置での輝度を１としたときに、第１および第２の光源１０−１，１０−２のうち一方のみを点灯した場合における任意の位置での輝度比率）
Ｌｍａｘ：Ｌの最大値
Ｌｍｉｎ：Ｌの最小値
とする。
【００６１】
より好ましくは、図２８に示したように、以下の条件（１）’，（２）’を満たすとよい。
ｙ＜０のとき、
０．０２５＋０．９５・ｓｉｎ２｛（ｙ＋１）・π／４）｝≧Ｌ≧（０．５＋１．８・ｙ）  ……（１）’
ｙ≧０のとき、
０．０２５＋０．９５・ｓｉｎ２｛（ｙ＋１）・π／４）｝≦Ｌ≦（０．５＋１．８・ｙ）  ……（２）’
Ｌｍａｘ＝１、Ｌｍｉｎ＝０
【００６２】
＜２．第２の実施の形態＞（Ｂ光源のみを用いた発光装置）
次に、本開示の第２の実施の形態に係る発光装置（バックライトユニット１Ａ）について説明する。なお、以下では上記第１の実施の形態に係るバックライトユニット１における構成要素と略同じ部分については、同一符号を付し、適宜説明を省略する。
【００６３】
図４３は、本実施の形態に係るバックライトユニット１Ａの断面構成の一例を表したものである。図４４は、本実施の形態における下段導光板１１Ａおよび上段導光板１１Ｂと、第１の光源１０−１および第２の光源１０−２とのＸＹ平面における配置構成を表している。本実施の形態に係るバックライトユニット１Ａは、波長変換シート１４をさらに備えている。上記第１の実施の形態では、第１の光源１０−１および第２の光源１０−２として、赤色光源１０Ｒ、緑色光源１０Ｇ、および青色光源１０Ｂを組み合わせた構成例を示したが、波長変換シート１４と組み合わせることで、青色光源１０Ｂのみを用いることも可能である。波長変換シート１４は例えば、上段導光板１１Ｂの第２の光出射面と、光学シート１３との間に設けられている。波長変換シート１４は、例えば所定の色光としての青色光の一部を赤色光、緑色光あるいは黄色光などの他の波長に変換する蛍光材料を含んで構成されている。これにより、青色光源１０Ｂからの所定の色光としての青色光と、波長変換シート１４による波長変換後の光との混色により、例えば白色の発光が得られる。
【００６４】
図４５は、本実施の形態における上段導光板１１Ｂに対する青色光源１０Ｂの配置の一具体例を示している。図４６は、下段導光板１１Ａに対する青色光源１０Ｂの配置の一具体例を示している。図４５および図４６に示したように、第１の光源１０−１を構成する青色光源１０Ｂと第２の光源１０−２を構成する青色光源１０ＢとのＸ方向の光軸位置が異なるように各青色光源１０Ｂの相対的な位置をオフセットさせてもよい。
【００６５】
＜３．第３の実施の形態＞（Ｘ方向の側面に光源を配置した例）（図４７）
次に、本開示の第３の実施の形態に係る発光装置（バックライトユニット）について説明する。なお、以下では上記第１および第２の実施の形態に係るバックライトユニット１，１Ａにおける構成要素と略同じ部分については、同一符号を付し、適宜説明を省略する。
【００６６】
図４７は、本実施の形態に係る発光装置における導光板および光源の一構成例を示している。上記第１および第２の実施の形態では、下段導光板１１Ａと上段導光板１１Ｂとで、第１の光源１０−１と第２の光源１０−２とをＹ方向の側面に対向配置した例を示したが、例えば図４７に示したように、Ｘ方向の側面に対向配置してもよい。すなわち、例えば下段導光板１１Ａの第３の側面Ｓ３を第１の光入射面として、第１の光源１０−１を対向配置してもよい。また、上段導光板１１Ｂの第４の側面Ｓ４を第２の光入射面として、第２の光源１０−２を対向配置してもよい。この場合、第１のドットパターン３０−１および第２のドットパターン３０−２のパターン密度はＸ方向に変化させればよい。
【００６７】
＜４．第４の実施の形態＞（表示装置への適用例）
上記のようなバックライトユニット１，１Ａは、例えば図４８に示した表示装置２に組み込まれ、以下の電子機器に適用することができる。表示装置２は、例えば液晶ディスプレイである。この表示装置２では、例えば液晶パネル２０の光入射側および光出射側に偏光板２１ａ，２１ｂが積層されると共に、バックライトユニット１，１Ａがその液晶パネル２０を背面側から照明するように構成されている。電子機器としては、例えば以下に挙げるようなテレビジョン装置，電子ブック、スマートフォン、デジタルカメラ，ノート型パーソナルコンピュータ、ビデオカメラおよび携帯電話機等が挙げられる。言い換えると、上記バックライトユニット１，１Ａを用いた表示装置２は、外部から入力された映像信号あるいは内部で生成した映像信号を、画像あるいは映像として表示するあらゆる分野の電子機器に適用することが可能である。
【００６８】
（適用例１）
図４９は、テレビジョン装置として用いられるものであり、画像表示のための平板状の本体部１０２をスタンド１０３により支持した構成を有している。なお、図示したテレビジョン装置は、スタンド１０３を本体部１０２に取り付けた状態で、床，棚または台などの水平面に載置して据置型として用いられるが、スタンド１０３を本体部１０２から取り外した状態で壁掛型として用いることも可能である。本体部１０２が、上記の表示装置２を含んで構成されている。
【００６９】
（適用例２）
図５０は、電子ブックの外観を表したものである。図５１は、他の電子ブックの外観を表したものである。これらの電子ブックは、いずれも、例えば表示部２１０および非表示部２２０を有しており、表示部２１０が上記の表示装置２により構成されている。
【００７０】
（適用例３）
図５２は、スマートフォンの外観を表したものである。このスマートフォンは、例えば、表示部２３０および非表示部２４０を有しており、表示部２３０が上記の表示装置２により構成されている。
【００７１】
（適用例４）
図５３および図５４は、デジタルカメラの外観を表したものである。図５３は、そのデジタルカメラをその前方（被写体側）から眺めた外観を表し、図５４は、そのデジタルカメラをその後方（像側）から眺めた外観を表す。このデジタルカメラは、例えば、フラッシュ用の発光部４１０、表示部４２０、メニュースイッチ４３０およびシャッターボタン４４０を有しており、表示部４２０が上記の表示装置２により構成されている。
【００７２】
（適用例５）
図５５は、ノート型パーソナルコンピュータの外観を表したものである。このノート型パーソナルコンピュータは、例えば、本体５１０，文字等の入力操作のためのキーボード５２０および画像を表示する表示部５３０を有しており、表示部５３０が上記の表示装置２により構成されている。
【００７３】
（適用例６）
図５６は、ビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。表示部６４０が上記の表示装置２により構成されている。
【００７４】
（適用例７）
図５７および図５８は、携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。これらのうちのディスプレイ７４０またはサブディスプレイ７５０が、上記の表示装置２により構成されている。
【００７５】
＜５．その他の実施の形態＞
本開示による技術は、上記各実施の形態および実施例の説明に限定されず種々の変形実施が可能である。
【００７６】
例えば、上記各実施例において例示した数値は限定されるものではなく、他の数値であってもよい。
【００７７】
例えば、本技術は以下のような構成を取ることができる。
（１）
第１の光入射面と、所定の光出射方向に向けて光を出射する第１の光出射面と、第１のパターンが設けられた第１の光出射促進面とを有する第１の導光板と、
第２の光入射面と、光出射方向に向けて光を出射する第２の光出射面と、第２のパターンが設けられた第２の光出射促進面とを有し、第１の導光板に対向配置された第２の導光板と
を備え、
第１のパターンは、第１の光入射面から離れるにしたがって密度が大きくなるように配置ピッチが変化する複数の第１の点状部からなるパターンであり、
第２のパターンは、第２の光入射面から離れるにしたがって配置ピッチが変化して密度が大きくなる複数の第２の点状部からなるパターンであり、
前記光出射方向から見て、前記第１のパターンと前記第２のパターンとが設けられた領域が部分的に重複し、かつ、前記第１のパターンと前記第２のパターンとで密度が大きくなる方向が互いに逆向きとなっている
を備える発光装置。
（２）
前記第１の光入射面に対向配置された複数の第１の光源と、
前記第２の光入射面に対向配置された複数の第２の光源と
をさらに備える上記（１）に記載の発光装置。
（３）
前記光出射方向から見て、前記第１の光源の光軸位置と前記第２の光源の光軸位置とが、互いに異なる
上記（２）に記載の発光装置。
（４）
前記第１および第２の光源はそれぞれ、所定数ごとに１つの光源ユニットを構成し、
前記光出射方向から見て、前記光源ユニットごとに、前記第１の光源の光軸位置と前記第２の光源の光軸位置とが、互いに異なる
上記（２）に記載の発光装置。
（５）
複数の前記第１の点状部は、前記第１の光入射面から離れるにしたがって密度が大きくなるように配置ピッチおよび大きさが変化し、
複数の前記第２の点状部は、前記第２の光入射面から離れるにしたがって密度が大きくなるように配置ピッチおよび大きさが変化する
上記（１）ないし（４）のいずれか１つに記載の発光装置。
（６）
前記各導光板は、前記各光入射面に対向する側面をさらに有し、
前記光出射方向に直交する観察面内の任意の位置での輝度が、以下の条件を満たす
上記（１）ないし（５）のいずれか１つに記載の発光装置。
ｙ＜０のとき、
０．０２５＋１．０５・ｓｉｎ2｛（ｙ＋１）・π／４）｝＞Ｌ＞（０．４５＋１．６・ｙ）  ……（１）
ｙ≧０のとき、
−０．０７５＋１．０５・ｓｉｎ2｛（ｙ＋１）・π／４）｝＜Ｌ＜（０．５５＋１．６・ｙ）  ……（２）
Ｌｍａｘ＝１、Ｌｍｉｎ＝０
ただし、
ｙ：前記光出射方向から見た前記各導光板における導光方向の位置（前記各導光板の導光方向において、前記各光入射面の位置を−１、中央を０、前記各光入射面に対向する側面の位置を１とする）
Ｌ：輝度比率（前記第１および第２の光源の双方を点灯したときの前記観察面内の任意の位置での輝度を１としたときに、前記第１および第２の光源のうち一方のみを点灯した場合における前記任意の位置での輝度比率）
Ｌｍａｘ：Ｌの最大値
Ｌｍｉｎ：Ｌの最小値
とする。
（７）
前記光出射方向から見て、前記第１の光源と前記第２の光源とが互いに逆方向に向けて光を出射する
上記（２）ないし（６）のいずれか１つに記載の発光装置。
（８）
前記複数の第１の光源および前記複数の第２の光源はそれぞれ、赤色光を出射するレーザダイオードと、緑色光を出射するレーザダイオードと、青色光を出射するレーザダイオードとを含む
上記（２）ないし（７）のいずれか１つに記載の発光装置。
（９）
前記複数の第１の光源および前記複数の第２の光源はそれぞれ、所定の色光を出射するレーザダイオードであり、
前記第２の導光板に対向配置され、前記所定の色光を他の色光に変換する波長変換シートをさらに備えた
上記（２）ないし（７）のいずれか１つに記載の発光装置。
（１０）
表示パネルと、前記表示パネルを照明する発光装置とを含み、
前記発光装置は、
第１の光入射面と、所定の光出射方向に向けて光を出射する第１の光出射面と、第１のパターンが設けられた第１の光出射促進面とを有する第１の導光板と、
第２の光入射面と、前記光出射方向に向けて光を出射する第２の光出射面と、第２のパターンが設けられた第２の光出射促進面とを有し、前記第１の導光板に対向配置された第２の導光板と
を備え、
前記第１のパターンは、前記第１の光入射面から離れるにしたがって密度が大きくなるように配置ピッチが変化する複数の第１の点状部からなるパターンであり、
前記第２のパターンは、前記第２の光入射面から離れるにしたがって配置ピッチが変化して密度が大きくなる複数の第２の点状部からなるパターンであり、
前記光出射方向から見て、前記第１のパターンと前記第２のパターンとが設けられた領域が部分的に重複し、かつ、前記第１のパターンと前記第２のパターンとで密度が大きくなる方向が互いに逆向きとなっている
表示装置。
【００７８】
本出願は、日本国特許庁において２０１４年３月２０日に出願された日本特許出願番号第２０１４−５７４６０号を基礎として優先権を主張するものであり、この出願のすべての内容を参照によって本出願に援用する。
【００７９】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
0006586950.tif 000002
【図２】
0006586950.tif 000003
【図３】
0006586950.tif 000004
【図４】
0006586950.tif 000005
【図５】
0006586950.tif 000006
【図６】
0006586950.tif 000007
【図７】
0006586950.tif 000008
【図８】
0006586950.tif 000009
【図９】
0006586950.tif 000010
【図１０】
0006586950.tif 000011
【図１１】
0006586950.tif 000012
【図１２】
0006586950.tif 000013
【図１３】
0006586950.tif 000014
【図１４】
0006586950.tif 000015
【図１５】
0006586950.tif 000016
【図１６】
0006586950.tif 000017
【図１７】
0006586950.tif 000018
【図１８】
0006586950.tif 000019
【図１９】
0006586950.tif 000020
【図２０】
0006586950.tif 000021
【図２１】
0006586950.tif 000022
【図２２】
0006586950.tif 000023
【図２３】
0006586950.tif 000024
【図２４】
0006586950.tif 000025
【図２５】
0006586950.tif 000026
【図２６】
0006586950.tif 000027
【図２７】
0006586950.tif 000028
【図２８】
0006586950.tif 000029
【図２９】
0006586950.tif 000030
【図３０】
0006586950.tif 000031
【図３１】
0006586950.tif 000032
【図３２】
0006586950.tif 000033
【図３３】
0006586950.tif 000034
【図３４】
0006586950.tif 000035
【図３５】
0006586950.tif 000036
【図３６】
0006586950.tif 000037
【図３７】
0006586950.tif 000038
【図３８】
0006586950.tif 000039
【図３９】
0006586950.tif 000040
【図４０】
0006586950.tif 000041
【図４１】
0006586950.tif 000042
【図４２】
0006586950.tif 000043
【図４３】
0006586950.tif 000044
【図４４】
0006586950.tif 000045
【図４５】
0006586950.tif 000046
【図４６】
0006586950.tif 000047
【図４７】
0006586950.tif 000048
【図４８】
0006586950.tif 000049
【図４９】
0006586950.tif 000050
【図５０】
0006586950.tif 000051
【図５１】
0006586950.tif 000052
【図５２】
0006586950.tif 000053
【図５３】
0006586950.tif 000054
【図５４】
0006586950.tif 000055
【図５５】
0006586950.tif 000056
【図５６】
0006586950.tif 000057
【図５７】
0006586950.tif 000058
【図５８】
0006586950.tif 000059